(57)【要約】【課題】設置コストが安く工期も短縮できる上、湿度や塵埃の影響を少なくして信頼性が高く、使用する絶縁油の油量を削減した三相変圧器を据付けることができる三相変圧器の輸送及び現地組立方法を提供するものである。【解決手段】工場で組立てた三相変圧器１を、一相分の３台の変圧器本体５に分解して、これを防塵カバー６で密閉して、それぞれ輸送用タンク７内に別個に収納し、これを現地まで輸送し、ここに設置した変圧器タンク２の上部を一部開放した状態で、低湿度の清浄な空気を吹込みながら、変圧器本体５を変圧器本体２の開口部１１から吊下げて変圧器タンク２内に据え付け、次に変圧器タンク２の上部開口部１１の位置をずらせて、ここから一相分の変圧器本体５を順次変圧器タンク２内に据付けて、三相変圧器１を組立てるものである。【選択図】  図５
2007194233.tif 000002
【特許請求の範囲】
【請求項１】
工場で組み立てた三相変圧器を分解して現地まで輸送し、ここで再度組み立てる三相変圧器の輸送及び現地組立方法において、工場で組立てた三相変圧器を、鉄心にコイルを巻回した一相分の３台の変圧器本体に分解して、一相分の変圧器本体を防塵カバーで密閉して、それぞれ輸送用タンク内に別個に収納し、これを現地まで輸送し、ここに設置した変圧器タンクの上部を一部開放した状態で、低湿度の清浄な空気やガスを変圧器タンク内に吹込みながら、一相分の変圧器本体を、防塵カバーを一部外した変圧器本体の開口部から吊下げて変圧器タンク内に据え付け、次に変圧器タンクの上部の開口位置をずらせて、ここから一相分の変圧器本体を順次変圧器タンク内に据付けて、三相変圧器を組立てることを特徴とする三相変圧器の輸送及び現地組立方法。
【請求項２】
現地に設置した変圧器タンクの上部を塞いで一部開放する手段として、分割したシート状カバーまたはアコーデオンカーテン状のカバー、若しくは巻き取り式のカバーを用いることを特徴とする請求項１記載の三相変圧器の輸送及び現地組立方法。                                                    
【発明の詳細な説明】
【技術分野】
【０００１】
本発明は、三相変圧器の輸送及び現地組立方法に関するものである。
【背景技術】
【０００２】
大型で重量の重い三相変圧器をトレーラーで山間部の変電所まで輸送する場合、通過する道路や橋などの通行規制があり、また鉄道輸送ではコストが高く、しかも早い時期からの予約が必要であり納期に間に合わないこともあり、到着した駅からはトレーラーで輸送しなければならないなどの種々の制約があった。このため、単相の変圧器を３台工場で製造し、これらを現地まで別個に輸送して、現地で三相変圧器を組み立てる方法がある。
【０００３】
しかしながら、この方法では単相の変圧器が大型の場合には輸送上の制約がある上、現地で直列に配置して接続するため工事期間が長くなり、また設置スペースが大きく、使用する油量も多くなる問題があった。
【０００４】
また分解して搬送する別の方法としては、工場で組立てられた変圧器のコイルグループの下部に端枠を装着して、コイルグループと鉄心に分解して輸送ケースに入れて、据付け現地まで輸送し、ここで輸送ケースから取り出して、コイルグループを端枠に装着されたまま端枠を介して下部タンクに装着して、下部タンクのフランジ間を溶接して組立てる方法（特許文献１）が提案されている。
【０００５】
この方法では、コイルグループと鉄心に分解して輸送するので荷姿を小型軽量化できるが、現地で組立てる場合の吸湿や塵埃の影響があり、現地にプレハブを建設し、この内部で湿度や塵埃が侵入しない状態で三相変圧器を組立ててからプレハブを解体しなければならず、このプレハブの組立や解体に費用がかかる問題があった。
【特許文献１】特開２０００−６８１２６
【発明の開示】
【発明が解決しようとする課題】
【０００６】
本発明は上記問題を改善し、屋外に設置する場合に、現地でプレハブを建設することなく設置コストが安く工期も短縮できる上、湿度や塵埃の影響を少なくして信頼性が高く、使用する絶縁油の油量を削減した三相変圧器を据付けることができる三相変圧器の輸送及び現地組立方法を提供するものである。
【課題を解決するための手段】
【０００７】
本発明の請求項１記載の三相変圧器の輸送及び現地組立方法は、工場で組み立てた三相変圧器を分解して現地まで輸送し、ここで再度組み立てる三相変圧器の輸送及び現地組立方法において、工場で組立てた三相変圧器を、鉄心にコイルを巻回した一相分の３台の変圧器本体に分解して、一相分の変圧器本体を防塵カバーで密閉して、それぞれ輸送用タンク内に別個に収納し、これを現地まで輸送し、ここに設置した変圧器タンクの上部を一部開放した状態で、低湿度の清浄な空気やガスを変圧器タンク内に吹込みながら、一相分の変圧器本体を、防塵カバーを一部外した変圧器本体の開口部から吊下げて変圧器タンク内に据え付け、次に変圧器タンクの上部の開口位置をずらせて、ここから一相分の変圧器本体を順次変圧器タンク内に据付けて、三相変圧器を組立てることを特徴とするものである。
【０００８】
本発明の請求項２記載の三相変圧器の輸送及び現地組立方法は、現地に設置した変圧器タンクの上部を塞いで一部開放する手段として、分割したシート状カバーまたはアコーデオンカーテン状のカバー、若しくは巻き取り式のカバーを用いることを特徴とするものである。
【発明の効果】
【０００９】
本発明に係る請求項１記載の三相変圧器の輸送及び現地組立方法によれば、工場で組立てた三相変圧器の一相分の変圧器本体を３台に分解して、一相分の変圧器本体を防塵カバーで密閉して、輸送用タンクにそれぞれ別個に収納してトレーラーで現地まで搬送するので、荷姿を小型軽量化でき、通過する道路や橋などの通行規制の影響を受けることが少なくなる。また現地に設置した変圧器タンクの上部を一部開放した状態で、低湿度の清浄な空気やガスを変圧器タンク内に吹込みながら、防塵カバーを外した一相分の変圧器本体を開口部から吊下げて変圧器タンクに１台ずつ開放位置をずらせながら挿入して据付けるので、現地にプレハブを建設しなくても、湿度や塵埃の影響を受けることなく高性能の三相変圧器を組立てることができると共に、変圧器タンクは１個なので、使用する絶縁油の油量も削減でき、全体として設置コストが安く、工期も短縮することができる。
【００１０】
また請求項２記載の三相変圧器の輸送及び現地組立方法によれば、変圧器タンクの上部を塞いで一部開放する手段として、分割したシート状カバーまたはアコーデオンカーテン状のカバー、若しくは巻き取り式のカバーを用いるので１相分の変圧器本体だけを挿入する開口部を狭く形成できるので、湿度や塵埃の影響を受けることなく高性能の三相変圧器を組立てることができる。
【発明を実施するための最良の形態】
【００１１】
以下本発明の実施例を図１ないし図７を参照して詳細に説明する。図１に示すように工場で三相変圧器１を組立て、試験をした後、これを変圧器タンク２と、ＬＴＣ（負荷時タップ切換器）タンク２、コンサベーター４及び３台の鉄心を巻回した一相分の変圧器本体５に分解する。
【００１２】
３台の一相分の変圧器本体５は図２に示すように、防塵カバー６で密閉して輸送用タンク７内に収納して密閉する。この輸送用タンク７に収納した一相分の変圧器本体５を図３に示すようにトレーラー８で現地まで輸送する。また変圧器タンク２は図４に示すように上部に３分割したシート状の輸送用カバー９を取付けて密閉しておく。この状態で変圧器タンク２をトレーラー８で現地まで輸送して予め現地に据付けておく。
【００１３】
この状態でトレーラー８により現地に搬送されてきた一相分の変圧器本体５は図５に示すようにクレーン１０で吊り上げて防塵カバー６を取外し、変圧器タンク２の上部に取付けた１枚の輸送用カバー９だけを取外して、この開口部１１から内部に挿入して１台据付ける。この場合、変圧器タンク２にはドライエアー発生装置１２を取付けて、ここから低湿度の清浄な空気を変圧器タンク２内に吹込んで塵埃の侵入を防止しながら据付ける。
【００１４】
次に、輸送用カバー９を再び閉じて、中間の輸送用カバー９だけを取外して、この開口部１１から２台目の一相分の変圧器本体５を内部に挿入し、更に図６に示すように、最後の輸送用カバー９だけを取外して、この開口部１１から３台目の一相分の変圧器本体５を内部に挿入して据付ける。この後、図７に示すように変圧器タンク２の上に上部タンク１４を取付けてタンクローリー１５から絶縁油を変圧器本体５の上部まで仮注入する。次にトップバンド部を溶接してからＬＴＣタンク３やコンサベーター４を取付けて組立てを完了する。
【００１５】
従って工場で組立てた三相変圧器１の鉄心を巻回した一相分の変圧器本体５を、３台に分解して、一相分の変圧器本体５を防塵カバー６で密閉して、輸送用タンク７にそれぞれ別個に収納してトレーラー８で現地まで搬送するので、荷姿を小型軽量化でき、通過する道路や橋などの通行規制の影響を受けることが少なくなる。
【００１６】
また現地に設置した変圧器タンク２の上部を一部開放した状態で、ドライエアー発生装置１２から低湿度の清浄な空気を変圧器タンク２内に吹込みながら、防塵カバー６を外した一相分の変圧器本体５を開口部１１から吊下げて変圧器タンク２内に１台ずつ開放位置をずらせながら挿入して据付けるので、現地にプレハブを建設しなくても、湿度や塵埃の影響を受けることなく高性能の三相変圧器１を組立てることができる。また変圧器タンク２は１個なので、使用する絶縁油の油量を削減することもできる。
【００１７】
なお上記説明では変圧器タンク２の上部を覆う輸送用カバーとして、３分割したシート状カバーを用いて１枚ずつ外して一相分の変圧器本体５を挿入する方法について示したが、分割したアコーデオンカーテン状のカバーを用いて、開口する部分だけカバーを畳む方法や、分割した巻き取り式のカバーを用いて、開口する部分だけカバーを巻き取る方法などでも良い。また、変圧器タンク内に吹込む低湿度の清浄な空気としてドライエアー発生装置１２から発生した空気を吹込む場合について示したが、窒素ガスなど低湿度の清浄なガスを用いても良い。
【図面の簡単な説明】
【００１８】
【図１】本発明の実施の一形態による三相変圧器を分解している状態を示す説明図である。
【図２】図１の分解した一相分の変圧器本体を防塵カバーで覆って輸送用タンク内に収納した状態を示す断面図である。
【図３】変圧器タンクと、一相分の変圧器本体を収納した輸送用タンクをトレーラーで輸送している状態を示す説明図である。
【図４】現地に設置した変圧器タンクを示す正面図である。
【図５】現地でクレーンにより一相分の変圧器本体を吊り上げて変圧器タンク内に挿入している状態を示す正面図である。
【図６】３台目の変圧器本体を吊り上げて変圧器タンク内に挿入している状態を示す正面図である。
【図７】変圧器タンク内にタンクローリーから絶縁油を仮注入している状態を示す正面図である。
【符号の説明】
【００１９】
１    三相変圧器                                            
２    変圧器タンク                                          
３    ＬＴＣタンク                                          
４    コンサベーター                                        
５    一相分の変圧器本体                                    
６    防塵カバー                                            
７    輸送用タンク                                          
８    トレーラー                                            
９    輸送用カバー                                          
１０  クレーン                                              
１１  開口部                                                
１２  ドライエアー発生装置                                  
１４  上部タンク                                            
１５  タンクローリー                                        
【図１】
2007194233.tif 000003
【図２】
2007194233.tif 000004
【図３】
2007194233.tif 000005
【図４】
2007194233.tif 000006
【図５】
2007194233.tif 000007
【図６】
2007194233.tif 000008
【図７】
2007194233.tif 000009